(57)【要約】【課題】帳票を立位の状態で収納するための手段を提供する。【解決手段】帳票を立位の状態で収納する媒体収納部１と、送り込み口１ａと、搬送されてきた帳票を挟持して送り込み口１ａから媒体収納部１に送り込むフィードローラ２および従動ローラ３と、後端が回転可能に支持されて先端が帳票の送り込み経路を遮るように配置された可動ガイド１０とを有する媒体取込機構において、媒体収納部１へ送り込まれる帳票がフィードローラ２と従動ローラ３の間を通過する際に可動ガイド１０の先端は帳票によって押し上げられ、帳票がフィードローラ２と従動ローラ３の間を通過した後、可動ガイド１０の先端によって帳票の後端を従動ローラ３に押し付ける。【選択図】図１
2010128914.tif 000002
【特許請求の範囲】
【請求項１】
媒体を立位の状態で収納する媒体収納部と、該媒体収納部の正面の下部側に設けられた送り込み口と、該送り込み口に近接されて前記媒体収納部外から搬送されてきた媒体を挟持して前記送り込み口から前記媒体収納部に送り込む上下一対のローラと、後端が回転可能に支持されて先端が媒体の送り込み経路を遮るように配置された可動ガイドとを有し、
前記媒体収納部へ送り込まれる媒体が前記ローラ間を通過する際に前記可動ガイドの先端は該媒体によって押し上げられ、
前記媒体が前記ローラ間を通過した後、前記可動ガイドの先端によって前記媒体の後端を前記下部のローラに押し付けることを特徴とする媒体取込機構。
【請求項２】
請求項１に記載の媒体取込機構において、
前記可動ガイドは、自重によりその先端で媒体の後端を前記下部のローラに押し付けることを特徴とする媒体取込機構。
【請求項３】
請求項１に記載の媒体取込機構において、
前記可動ガイドは、付勢手段によって付勢され、その付勢力により先端で媒体の後端を前記下部のローラに押し付けることを特徴とする媒体取込機構。
【発明の詳細な説明】
【技術分野】
【０００１】
本発明は、自動取引装置等の設けられて、顧客が取り忘れた帳票や通帳等の媒体を取り込んで収納する媒体取込機構に関する。
【背景技術】
【０００２】
従来の媒体取込機構は、顧客との取引後にその取引内容を印字した帳票を放出し、所定時間経過しても帳票が取り去られない場合に取り忘れと判定し、その帳票を取り込み搬送して媒体収納部に集積して回収している（例えば、特許文献１参照。）。
また、媒体取込機構を備える自動取引装置内部の構成に対応し、媒体収納部の容量を確保するために図８に示すように帳票を立位の状態で集積する媒体収納部を備えている媒体取込機構も従来用いられている。
【特許文献１】特開平０２−１７１９８８号公報（第３頁左下欄１１行目−同左下欄１８行目、第１図）
【発明の開示】
【発明が解決しようとする課題】
【０００３】
しかしながら、上述した従来の技術においては、特に帳票を立位の状態で集積する場合に帳票を搬送していくと、図９に示すように帳票が媒体収納部の壁面に接触すると共に、帳票の先端部が媒体収納部の上面に当たることによる引っ掛かった状態になるため、それが抵抗となって帳票を媒体収納庫内に完全に押し出せずに帳票の後端がフィードローラと従動ローラとの間付近に停滞し、次の帳票が搬送されてきたときに２枚の帳票がぶつかり搬送ジャムの原因となってしまうという問題がある。
【０００４】
本発明は、上記の問題点を解決するための手段を提供することを目的とする。
【課題を解決するための手段】
【０００５】
本発明は、上記課題を解決するために、媒体を立位の状態で収納する媒体収納部と、該媒体収納部の正面の下部側に設けられた送り込み口と、該送り込み口に近接されて前記媒体収納部外から搬送されてきた媒体を挟持して前記送り込み口から前記媒体収納部に送り込む上下一対のローラと、後端が回転可能に支持されて先端が媒体の送り込み経路を遮るように配置された可動ガイドとを有し、前記媒体収納部へ送り込まれる媒体が前記ローラ間を通過する際に前記可動ガイドの先端は該媒体によって押し上げられ、前記媒体が前記ローラ間を通過した後、前記可動ガイドの先端によって前記媒体の後端を前記下部のローラに押し付けることを特徴とする。
【発明の効果】
【０００６】
これにより、本発明は、帳票を立位の状態で集積する場合に、帳票がフィードローラと従動ローラとの間を通過したとき即座に可動ガイドの先端で帳票の後端を従動ローラに押し付け、帳票全体を媒体収納部内へと確実に送り出すことができるため、送り出す帳票によって搬送ジャムが発生するのを防止することができるという効果が得られる。
【発明を実施するための最良の形態】
【０００７】
以下に、図面を参照して本発明による媒体取込機構の実施例について説明する。
【実施例１】
【０００８】
図１は実施例１の媒体取込機構を示す説明図、図２はフィードローラと従動ローラおよび可動ガイドの配置を示す斜視図である。
図１において、１は媒体収納部であり、顧客が自動取引装置を用いて行った取引で取り忘れた振込取引に用いる振込用紙やレシート等の帳票を立位の状態で収納する。
１ａは送込み口であり、媒体収納部１の正面の下部側に設けられており、後述する搬送路６により搬送されてきた帳票を媒体収納部１に送り込む入口となる。
【０００９】
２はフィードローラであり、帳票の搬送方向の上流から送込み口１ａに近接するように配され、図２に示すフィードローラシャフト２ａに複数取付けられ、図示しない駆動機構によってフィードローラシャフト２ａが回転することで回転駆動する。
３は従動ローラであり、図２に示すように各フィードローラ２に対向するように従動ローラシャフト３ａに複数取付けられ、その従動ローラシャフト３ａが図示しないバネ部材によって上方へ付勢力を受けることで、従動ローラ３はフィードローラ２を押圧してフィードローラ２に従動し、フィードローラ２との間に帳票を挟持してその帳票を送り込み口１ａから媒体収納部１に送り込む。
【００１０】
４は搬送ローラであり、フィードローラ２よりも媒体の搬送方向上流に配された一対のローラであり、搬送方向の上流から搬送されてきた帳票を挟持し下流に配されているフィードローラ２と従動ローラ３に受け渡す。
５は一対の搬送ガイド板であり、一対の搬送ローラ４およびフィードローラ２と従動ローラ３に挟持された帳票の搬送を案内する。
【００１１】
なお、搬送ガイド板５は帳票の搬送方向の上流から下流および送り込み口１ａに向かって徐々に上向きに湾曲するように形成され、これにより媒体収納部１に進入する帳票の前端が上方へと向くようになって帳票が立位の状態で収納される。
上記のフィードローラ２、従動ローラ３、搬送ローラ４および搬送ガイド板５により搬送路６を形成される。
【００１２】
そして、搬送ガイド板５に切り欠きを設けてその切り欠きからフィードローラ２、従動ローラ３、搬送ローラ４が迫り出すように配されることで、搬送路６を通過する帳票の両面に各ローラが接して各ローラが回転することで帳票との接触面に摩擦が発生し、帳票を挟持搬送する。
１０は可動ガイドであり、コイルスプリング等のスプリング（付勢手段）１２から付勢されてかつ図２に示すようにフィードローラシャフト２ａに配されるフィードローラ２間および従動ローラシャフト３ａに配される従動ローラ３間に設けられ、その後端はフィードローラ２の送り込み口１ａ側の近傍で回転支点１１により回転可能に支持され、先端は送り込み口１ａが設けられている側で帳票の送り込み経路を遮って従動ローラ３と並行する位置まで延びている。
【００１３】
可動ガイド１０がスプリング１２から受ける付勢力は、帳票の搬送を妨げることが無い程度の付勢力であるため、帳票がフィードローラ２と従動ローラ３との間を通過して媒体収納部１へと至る際に、可動ガイド１０の先端は回転支点１１を中心に他端が搬送路６を遮る位置から避けるように押し上げられる。
上述した構成の作用について説明する。
【００１４】
図３は可動ガイドが押し上げられている様子を示す説明図である。
一対の搬送ローラ４によって挟持した帳票をフィードローラ２と従動ローラ３との間に受け渡すと、その帳票はフィードローラ２と従動ローラ３によって挟持され、図１の矢印Ａで示す取込方向に帳票を搬送する。
搬送される帳票は、図３に示すように可動ガイド１０の先端を送り込み口１ａから退避させるように押し上げて、その帳票の先端が矢印Ｂに示す方向に沿うように媒体収納部１内の斜め上方へ向かって進入していく。
【００１５】
そのため、可動ガイド１０はその先端が帳票に支えられた状態のまま押し上げられる。
図４は可動ガイドが帳票の後端部を押圧している様子を示す説明図である。
帳票がフィードローラ２と従動ローラ３との間を通過した後、可動ガイド１０の先端が帳票の後端部に支持されるような状態となって図４の点線によって丸く囲まれた箇所に示すように可動ガイド１０の先端で帳票の後端部を従動ローラ３に押圧している状態となる。
【００１６】
帳票の後端部が従動ローラ３に押し付けられた状態となるため、帳票と従動ローラ３との間で働く摩擦力が増加する。
そして、回転するフィードローラ２に従動して回転する従動ローラ３により帳票をさらに媒体収納部１内へと押し出して、帳票を媒体収納部１に集積する。
なお、上記スプリング１２を設ける代わりに、可動ガイド１０の自重を帳票が押し上げられる程度の重さとするように可動ガイド１０を形成してもよく、その場合には帳票がフィードローラ２と従動ローラ３間を通過したときに可動ガイド１０は、自重によってその先端が帳票の後端部を従動ローラ３に押し付けるようになる。
【００１７】
以上説明したように、本実施例では、帳票を立位の状態で集積する場合に、帳票がフィードローラと従動ローラとの間を通過したとき即座に可動ガイドの先端で帳票の後端を従動ローラに押し付け、帳票全体を媒体収納部内へと確実に送り出すことができるため、送り出す帳票によって搬送ジャムが発生するのを防止することができる。
なお、上記実施例１においては可動ガイドを設けた場合を例に説明したが、可動ガイドに限定するものではなく、可動ガイドの代わりに図５の板バネを配した場合を示す説明図に示すような板バネ２０を設けるようにしてもよい。
【００１８】
その場合、板バネ２０の後端を固定して、先端が送り出し口１ａを遮って従動ローラ３に一致するように位置させ、搬送されてきた帳票によって板バネ２０を湾曲させると共に、図６に示すようにその湾曲した板バネ２０により帳票の後端部を従動ローラ３側に押圧すれば上記実施例１と同様の効果を得ることができる。
また、上記実施例１においては帳票を立位の状態で集積する場合を例に説明したが、図７に示すように帳票を水平な状態で集積する媒体取込機構に適用してもよい。
【図面の簡単な説明】
【００１９】
【図１】実施例１の媒体取込機構を示す説明図
【図２】フィードローラと従動ローラおよび可動ガイドの配置を示す説明図
【図３】可動ガイドが押し上げられている様子を示す説明図
【図４】可動ガイドが帳票の後端を押圧している様子を示す説明図
【図５】板バネを配した場合を示す説明図
【図６】板バネが帳票の後端を押圧している様子を示す説明図
【図７】帳票を水平に収納する媒体取込機構を示す説明図
【図８】帳票を立位の状態で集積する従来の媒体取込機構を示す説明図
【図９】帳票が媒体収納部で引っ掛かっている様子を示す説明図
【符号の説明】
【００２０】
１    媒体収納部
１ａ  送り込み口
２    フィードローラ
３    従動ローラ
４    搬送ローラ
５    搬送ガイド板
６    搬送路
１０  可動ガイド
１１  回転支点
１２  スプリング
２０  板バネ
【図１】
2010128914.tif 000003
【図２】
2010128914.tif 000004
【図３】
2010128914.tif 000005
【図４】
2010128914.tif 000006
【図５】
2010128914.tif 000007
【図６】
2010128914.tif 000008
【図７】
2010128914.tif 000009
【図８】
2010128914.tif 000010
【図９】
2010128914.tif 000011